(57)【要約】【課題】映像と共に外界の像を提供することが可能で、かつ微細な画像を知覚することができる。【解決手段】被写体を撮像する撮像部１１１と、撮像した映像を表示する表示部１００と、接眼光学系１０１と、接眼光学系１０１を保持して透過画像表示部１０２ａを有する透明な板状部材１０２とを備え、接眼光学系１０１が観察者の眼の前に位置して板状部材１０２が眼に対面する状態で使用され、表示部１００からの光を接眼光学系１０１により眼に導いて表示部１００が表示した映像の虚像を透過画像表示部１０２ａに提供するとともに、外界からの光を透過画像表示部１０２ａを透過させて眼に導いて外界の像を提供する透過式映像表示装置１であり、実像のＭＴＦ特性の極大ピークと、虚像のＭＴＦ特性の極大ピークを一致させるように制御する制御部１１０を有する。【選択図】図７
2006106450.tif 000002
【特許請求の範囲】
【請求項１】
被写体を撮像する撮像部と、
前記撮像した映像を表示する表示部と、
接眼光学系と、
前記接眼光学系を保持して透過画像表示部を有する透明な板状部材とを備え、
前記接眼光学系が観察者の眼の前に位置して前記板状部材が眼に対面する状態で使用され、前記表示部からの光を前記接眼光学系により眼に導いて前記表示部が表示した映像の虚像を前記透過画像表示部に提供するとともに、外界からの光を前記透過画像表示部を透過させて眼に導いて外界の像を提供する透過式映像表示装置であり、
実像のＭＴＦ特性の極大ピークと、虚像のＭＴＦ特性の極大ピークを一致させるように制御する制御部を有することを特徴とする透過式映像表示装置。
【請求項２】
前記実像のＭＴＦ特性と、前記虚像のＭＴＦ特性の極大ピーク差が対数値で０．５以内であることを特徴とする請求項１に記載の透過式映像表示装置。
【請求項３】
前記虚像の虚像表示距離Ｓ（ｍ）は、前記虚像のＭＴＦ特性を視度を変化させて測定したときの最大値を示す視度をＤとしたときに、
Ｓ＝−１／Ｄで算出することを特徴とする請求項１または請求項２に記載の透過式映像表示装置。
【請求項４】
前記撮像部はズーム機能を有し、
前記制御部は撮像の周波数特性を解析し、前記実像のＭＴＦ特性の極大ピークと、前記虚像のＭＴＦ特性の極大ピークを一致させるように周波数領域の帯域を中心に前記ズーム機能のズーム倍率を変えることを特徴とする請求項１乃至請求項３のいずれか１項に記載の透過式映像表示装置。
【請求項５】
前記制御部は撮像の周波数特性を解析し、前記実像のＭＴＦ特性の極大ピークと、前記虚像のＭＴＦ特性の極大ピークを一致させるように周波数領域の帯域を中心にＭＴＦ強調をすることを特徴とする請求項１乃至請求項３のいずれか１項に記載の透過式映像表示装置。
【請求項６】
前記撮像部はズーム機能を有し、
前記制御部は撮像の周波数特性を解析し、前記実像のＭＴＦ特性の極大ピークと、前記虚像のＭＴＦ特性の極大ピークを一致させるように周波数領域の帯域を中心に前記ズーム機能のズーム倍率を変え、
かつ前記制御部は撮像の周波数特性を解析し、前記実像のＭＴＦ特性の極大ピークと、前記虚像のＭＴＦ特性の極大ピークを一致させるように周波数領域の帯域を中心にＭＴＦ強調をすることを特徴とする請求項１乃至請求項３のいずれか１項に記載の透過式映像表示装置。
【請求項７】
単眼において縦線のＭＴＦ値と横線のＭＴＦ値の測定結果の極大ピークでの視度Ｄｖ，Ｄｈが略一致し、
絶対値（Ｄｖ−Ｄｈ）≦１．０
であることを特徴とする請求項１乃至請求項６のいずれか１項に記載の透過式映像表示装置。
【発明の詳細な説明】
【技術分野】
【０００１】
この発明は、顔前にて使用され、映像と共に外界の像を提供する透過式映像表示装置に関する。
【背景技術】
【０００２】
顔前にて使用する透過式映像表示装置としては、例えば特開２００２−１５６６００号明細書記載の装置が知られ、撮像した映像と共に外界の像を提供することができる。このような透過式映像表示装置では、撮像した映像と共に自分の周辺も見ることができる。
【特許文献１】特開２００２−１５６６００号公報（第１頁〜第１６頁、図１〜図２２）
【発明の開示】
【発明が解決しようとする課題】
【０００３】
このような透過式映像表示装置では、撮像する入力機器と表示する出力ディスプレイを組み合わせたシステムにすることで表示サイズを気にすることなく周辺視もできるが、微細な画像を知覚するには、入力と出力で得られるトータルの虚像のＭＴＦ特性が、実像のＭＴＦ特性との認識性であるピーク値がある範囲内にはいるというＭＴＦ特性が必要なことがわかった。
【０００４】
この発明は、かかる点に鑑みてなされたもので、映像と共に外界の像を提供することが可能で、かつ微細な画像を知覚することができる透過式映像表示装置を提供することを目的としている。
【課題を解決するための手段】
【０００５】
前記課題を解決し、かつ目的を達成するために、この発明は、以下のように構成した。
【０００６】
請求項１に記載の発明は、被写体を撮像する撮像部と、
前記撮像した映像を表示する表示部と、
接眼光学系と、
前記接眼光学系を保持して透過画像表示部を有する透明な板状部材とを備え、
前記接眼光学系が観察者の眼の前に位置して前記板状部材が眼に対面する状態で使用され、前記表示部からの光を前記接眼光学系により眼に導いて前記表示部が表示した映像の虚像を前記透過画像表示部に提供するとともに、外界からの光を前記透過画像表示部を透過させて眼に導いて外界の像を提供する透過式映像表示装置であり、
実像のＭＴＦ特性の極大ピークと、虚像のＭＴＦ特性の極大ピークを一致させるように制御する制御部を有することを特徴とする透過式映像表示装置である。
【０００７】
請求項２に記載の発明は、前記実像のＭＴＦ特性と、前記虚像のＭＴＦ特性の極大ピーク差が対数値で０．５以内であることを特徴とする請求項１に記載の透過式映像表示装置である。
【０００８】
請求項３に記載の発明は、前記虚像の虚像表示距離Ｓ（ｍ）は、前記虚像のＭＴＦ特性を視度を変化させて測定したときの最大値を示す視度をＤとしたときに、
Ｓ＝−１／Ｄで算出することを特徴とする請求項１または請求項２に記載の透過式映像表示装置である。
【０００９】
請求項４に記載の発明は、前記撮像部はズーム機能を有し、
前記制御部は撮像の周波数特性を解析し、前記実像のＭＴＦ特性の極大ピークと、前記虚像のＭＴＦ特性の極大ピークを一致させるように周波数領域の帯域を中心に前記ズーム機能のズーム倍率を変えることを特徴とする請求項１乃至請求項３のいずれか１項に記載の透過式映像表示装置である。
【００１０】
請求項５に記載の発明は、前記制御部は撮像の周波数特性を解析し、前記実像のＭＴＦ特性の極大ピークと、前記虚像のＭＴＦ特性の極大ピークを一致させるように周波数領域の帯域を中心にＭＴＦ強調をすることを特徴とする請求項１乃至請求項３のいずれか１項に記載の透過式映像表示装置である。
【００１１】
請求項６に記載の発明は、前記撮像部はズーム機能を有し、
前記制御部は撮像の周波数特性を解析し、前記実像のＭＴＦ特性の極大ピークと、前記虚像のＭＴＦ特性の極大ピークを一致させるように周波数領域の帯域を中心に前記ズーム機能のズーム倍率を変え、
かつ前記制御部は撮像の周波数特性を解析し、前記実像のＭＴＦ特性の極大ピークと、前記虚像のＭＴＦ特性の極大ピークを一致させるように周波数領域の帯域を中心にＭＴＦ強調をすることを特徴とする請求項１乃至請求項３のいずれか１項に記載の透過式映像表示装置である。
【００１２】
請求項７に記載の発明は、単眼において縦線のＭＴＦ値と横線のＭＴＦ値の測定結果の極大ピークでの視度Ｄｖ，Ｄｈが略一致し、
絶対値（Ｄｖ−Ｄｈ）≦１．０
であることを特徴とする請求項１乃至請求項６のいずれか１項に記載の透過式映像表示装置である。
【発明の効果】
【００１３】
前記構成により、この発明は、以下のような効果を有する。
【００１４】
請求項１に記載の発明によれば、実像のＭＴＦ特性の極大ピークと、虚像のＭＴＦ特性の極大ピークを一致させるように制御することで、映像と共に外界の像を提供することが可能で、かつ微細な虚像の画像を知覚することができる。
【００１５】
請求項２に記載の発明によれば、請求項１に加え、実像のＭＴＦ特性と、虚像のＭＴＦ特性の極大ピーク差が対数値で０．５以内であり、ずれが少なくより微細な虚像の画像を知覚することができる。
【００１６】
請求項３に記載の発明によれば、請求項１または請求項２に加え、虚像位置を所定位置に設定することで、視認性の低下を防止することができる。
【００１７】
請求項４に記載の発明によれば、請求項１乃至請求項３のいずれかに加え、実像のＭＴＦ特性の極大ピークと、虚像のＭＴＦ特性の極大ピークを一致させるように周波数領域の帯域を中心にズーム機能のズーム倍率を変えることで、映像と共に外界の像を提供することが可能で、かつ微細な虚像の画像を知覚することができる。
【００１８】
請求項５に記載の発明によれば、請求項１乃至請求項３のいずれかに加え、実像のＭＴＦ特性の極大ピークと、虚像のＭＴＦ特性の極大ピークを一致させるように周波数領域の帯域を中心にＭＴＦ強調をすることで、映像と共に外界の像を提供することが可能で、かつ微細な虚像の画像を知覚することができる。
【００１９】
請求項６に記載の発明によれば、請求項１乃至請求項３のいずれかに加え、実像のＭＴＦ特性の極大ピークと、虚像のＭＴＦ特性の極大ピークを一致させるように周波数領域の帯域を中心にズーム機能のズーム倍率を変え、かつ周波数領域の帯域を中心にＭＴＦ強調をすることで、映像と共に外界の像を提供することが可能で、かつ微細な虚像の画像を知覚することができる。
【００２０】
請求項７に記載の発明によれば、請求項１乃至請求項６に加え、単眼において縦線のＭＴＦ値と横線のＭＴＦ値の測定結果の極大ピークでの視度Ｄｖ，Ｄｈが略一致し、
絶対値（Ｄｖ−Ｄｈ）≦１．０であり、例えば歩行時の動的視認性を良くすることができる。
【発明を実施するための最良の形態】
【００２１】
以下、この発明の透過式映像表示装置及び透過式映像表示装置注文システムの実施の形態について説明する。この発明の実施の形態は、発明の最も好ましい形態を示すものであり、この発明はこれに限定されない。
【００２２】
［透過式映像表示装置の基本構成］
まず、この発明が適用される透過式映像表示装置を、図１乃至図４に基づいて説明する。図１は透過式映像表示装置の構成図、図２及び図３は透過式映像表示装置の外観を示す図、図４は透過式映像表示装置の断面である。
【００２３】
この実施の形態の透過式映像表示装置１は、図１に示すように、被写体を撮像する撮像部１１１と、撮像した被写体の映像を表示する表示部１００と、接眼光学系１０１と、接眼光学系１０１を保持する透明な板状部材１０２とを有する。この表示部１００は照明するための光源を有する。表示部１００には、制御部１１０が接続される。制御部１１０には、撮像部１１１から被写体の撮像情報が入力される。制御部１１０の制御で表示部１００は、被写体の映像を表示する。
【００２４】
この実施の形態の透過式映像表示装置１は、接眼光学系１０１が眼の前に位置して板状部材１０２が眼に対面する状態で使用され、表示部１００からの光を接眼光学系１０１により眼４１の眼球に導いて表示部１００が表示した映像の虚像を透過画像表示部１０２ａに提供するとともに、外界からの光を板状部材１０２の透過画像表示部１０２ａを透過させて眼４１の眼球に導いて外界の像を提供する。
【００２５】
この実施の形態の透過式映像表示装置１は、図２及び図３に示すように、メガネ式に構成され、撮像部を備え、測光部は撮像部で兼用されるが、これに限定されない。
【００２６】
この実施の形態の透過式映像表示装置１は、１つの表示部１００、撮像部１１１、制御部１１０、左右１対のプリズム２０Ｌ、２０Ｒ、鼻当て３１、左右１対のテンプル３２Ｌ、３２Ｒよりなり、プリズム２０Ｌ、２０Ｒが左右の眼４１の前に位置するように使用者の顔前に装着される。鼻当て３１は、プリズム２０Ｌ、２０Ｒに取り付けられており、これらを連結している。
【００２７】
テンプル３２Ｌ、３２Ｒは、それぞれプリズム２０Ｌ、２０Ｒの端部に取り付けられている。装着時には、鼻当て３１が鼻に当たり、テンプル３２Ｌ、３２Ｒが耳、側頭部または後頭部に当たって、透過式映像表示装置１は、これら３部位で支持される。テンプル３２Ｌ、３２Ｒは、プリズム２０Ｌ、２０Ｒ近傍の部位に設けられた垂直方向の軸（不図示）を中心に回動可能であり、非使用時には内側に折り畳むことができる。
【００２８】
表示部１００は、右のプリズム２０Ｒに取り付けられている。表示部１００は、透過型の液晶表示器（ＬＣＤ）１１、筺体１２、プリズム１３、発光ダイオード（ＬＥＤ）１４、およびレンズ１５よりなる。ＬＣＤ１１は表示するための映像を表示し、表示する映像により照明光を変調する。筺体１２は、ＬＣＤ１１、ＬＥＤ１４およびレンズ１５を収容してこれらを保持する。ＬＥＤ１４はＬＣＤ１１を照明するための光源であり、レンズ１５はＬＥＤ１４が発した光をＬＣＤ１１の全面に均一に導くための照明光学系である。
【００２９】
ＬＣＤ１１の映像の表示やＬＥＤ１４の発光は、制御部１１０によって制御され、撮像部１１１で撮像した画像情報を画像処理し、電力や映像信号を供給する。
【００３０】
プリズム１３は平板状であり、透明なガラスまたは樹脂で作製されている。プリズム１３はＬＣＤ１１からの光を眼４１に導いて、ＬＣＤ１１に表示された映像の虚像を表示する。プリズム１３の上端部は、縁の方が内部側よりも厚いくさび状とされており、筺体１２はこのくさび状の上端部を挟むようにして、プリズム１３に取り付けられている。
【００３１】
プリズム２０Ｌは平板状であり、単一の部材で構成されている。プリズム２０Ｒも平板状であるが、単一の部材ではなく、プリズム１３とプリズム２１で構成されている。プリズム２０Ｌおよびプリズム２１は、プリズム１３と同じ材料で作製されており、これら３者に屈折率の差はない。プリズム２０Ｒを成すプリズム１３とプリズム２１は相補的な形状を有し、隙間なく、かつ表面が連続するように接合されている。プリズム１３がくさび状の上端部を有することを除いて、プリズム２０Ｌ、２０Ｒは一般的な眼鏡同様対称形である。透過式映像表示装置１を顔前に装着した使用者は、プリズム２０Ｌ、２０Ｒを通して外界を観察することになる。
【００３２】
プリズム１３の下端部は、縁に向かうほど前面（眼４１から遠い面）が後面（眼４１に近い面）に近づくように作製されており、くさび状である。このくさび状の部位の前面すなわちプリズム２１との接合面は平面であり、この平面にはホログラム素子２２が形成されている。ホログラム素子２２は、装着時に眼４１の直前に位置する。プリズム１３およびホログラム素子２２が接眼光学系１０１を構成する。ホログラム素子２２は、例えば回析フィルムなどで構成される。
【００３３】
プリズム１３は、ＬＣＤ１１からの光を、上端部の端面より内部に導き入れ、前面と後面で複数回全反射しながら、ホログラム素子２２に導く。ホログラム素子２２は、導かれた光を回折させて、平行光に近い光束としながら、眼４１に入射させる。これにより、使用者には、ＬＣＤ１１に表示された映像の虚像が表示される。ホログラム素子２２は外界からの光にはほとんど作用せず、虚像は外界の像の中央部に重なって観察される。
【００３４】
透過式映像表示装置１では、ＬＣＤ１１からの光をプリズム１３の内部で反射しながらホログラム素子２２に導くようにしているため、プリズム２０Ｒを大きくすることが可能である。プリズム１３の下端部はくさび状であるが、同じ材質のプリズム２１に接合されているため、プリズム１３の下端部を透過する外界からの光に屈折は生じない。したがって、外界の像の中央部が歪んだり不連続になったりすることもなく、透過式映像表示装置１は質の高い像を表示することができる。
【００３５】
ＬＣＤ１１は左右方向に長い長方形状であり、十数文字が横方向に並ぶ文字列を１〜数行表示することができる。このため、使用者は、映像から多くの情報を一度に得ることが可能である。なお、この実施の形態では、右眼に映像を表示するようにしているが、もちろん、左眼に映像を表示するようにしてもよい。
【００３６】
この他の実施の形態の外観を図４に示す。この実施の形態の透過式映像表示装置１は、１対の表示部１００、１００を備えて左右両眼に映像を表示するとともに、プリズム２０Ｌ、２０Ｒにパワーをもたせて、使用者の視力を矯正し得るようにしたものである。表示部１００、１００の構成は、プリズム１３Ｌ、１３Ｒが曲率を有する点を除き、図１乃至図３の実施形態の透過式映像表示装置１の表示部１００と同様の構成である。
【００３７】
プリズム２０Ｌ、２０Ｒのパワーは使用者の視力に応じて設定する。プリズム２０Ｌ、２０Ｒに負のパワーをもたせることで近視を、正のパワーをもたせることで遠視を矯正することができる。プリズム１３Ｌ、１３Ｒの下端部のプリズム２１Ｌ、２１Ｒとの接合面は平面とされており、ホログラム素子２２Ｌ、２２Ｒの形成は容易である。
【００３８】
［実施の形態の構成］
この発明の透過式映像表示装置の実施の形態を、図５乃至図８に示す。図５は透過式映像表示装置の基本構成を示す図、図６は入力側の概略構成図、図７は出力側の概略構成図である。図８は実像のＭＴＦ特性と虚像のＭＴＦ特性を示す図である。
【００３９】
この透過式映像表示装置の基本構成は、制御部１１０の入力側に被写体を撮像する撮像部１１１を有し、出力側に表示部１００を有する。入力側の撮像部１１１は、図６に示すように、ズーム機能を有し、焦点距離を連続的に変えて表示画像全体を連続的に拡大縮小することができるようになっている。即ち、撮像部１１１がデジタルカメラで構成され、オートフォーカス機能を有するものである。
【００４０】
出力側は、図７に示すように、表示部１００からの光を接眼光学系１０１により眼４１に導いて表示部１００が表示した映像の虚像を透過画像表示部１０２ａに提供するとともに、外界からの光を透過画像表示部１０２ａを透過させて眼４１に導いて外界の実像を提供する。透過画像表示部１０２ａの透過率が２０％以上１００％以下であり、外界からの光を透過画像表示部１０２ａを透過させて眼４１に導くことができるようになっている。この透過式映像表示装置は、視覚補助を対象として用いることができる。
【００４１】
被写体を撮像する撮像部１１１の入力倍率と表示部１００の出力倍率とを乗算したものが透過画像表示部１０２ａでの１倍表示以上に設定され、虚像を大きく表示することで視認性が向上する。
【００４２】
また、入力倍率と出力倍率とを乗算したトータルの虚像のＭＴＦが、図８に示すように、視覚である実像のＭＴＦの０．４倍以上であり、虚像の視認性が向上する。
【００４３】
また、虚像の虚像表示距離Ｓ（ｍ）は、図７に示すように、撮像部１１１の焦点距離より同じか短く設定される。この撮像部１１１の焦点距離は０．５ｍ以上が好ましい。この透過式映像表示装置では、観察者の視覚の最小焦点距離≦虚像表示位置で虚像表示が行なわれる。
【００４４】
この透過式映像表示装置の制御部１１０は、図８に示す実像のＭＴＦ特性Ｘの極大ピークＸ１と、虚像のＭＴＦ特性Ｙの極大ピークＹ１を一致させるように、入力側の撮像部１１１から撮像部１１１を制御し、あるいは画像情報を処理する。虚像の虚像表示距離Ｓ（ｍ）は、虚像のＭＴＦ特性を視度を変化させて測定したときの最大値を示す視度をＤ（ディオプタ）としたときに、
Ｓ＝−１／Ｄで算出する。
【００４５】
図８の横軸は、空間周波数を示し、縦軸はＭＴＦを示す。ＭＴＦは変調伝達関数であり、レスポンス関数とも呼ばれ、画像の解像とコントラストを表示するための性能評価法の一つである。
【００４６】
このレスポンス関数は周知のコントラスト測定方式、フーリエ変換法等によって求めることができる。虚像のＴｏｔａｌＭＴＦの測定方式としては、正弦波または矩形波のテストチャートを撮像し、概表示装置によって出力される虚像に当たる映像を、接眼レンズ等をもつ光学撮像機器で取り込み、正弦波応答に換算してレスポンス関数を求めることができる。
【００４７】
また、実像のＶｉｓｕａｌＭＴＦは以下の式で算出する。
【００４８】
ＶｉｓｕａｌＭＴＦ＝５．０５＊ＥＸＰ（−０．１３８＊ｆ）＊（１−ＥＸＰ（−０．１＊ｆ））
Ｌ：観察距離（ｍｍ）
ｆ０：オリジナルの周波数（ｌｉｎｅｓ／ｍｍ）
ｆ：観察距離での周波数（ｌｉｎｅｓ／ｍｍ）
ｆ＝ｆ０＊Ｌ＊ｐ／１８０）
入力側の撮像部１１１から撮像部１１１を制御する実施の形態Ａでは、制御部１１０において撮像の周波数特性を解析し、実像のＭＴＦ特性Ｘの極大ピークＸ１と、虚像のＭＴＦ特性Ｙの極大ピークＹ１を一致させるように周波数領域の帯域を中心にズーム機能のズーム倍率を変える。
【００４９】
入力側の撮像部１１１からの画像情報を処理する実施の形態Ｂでは、制御部１１０において撮像の周波数特性を解析し、実像のＭＴＦ特性Ｘの極大ピークＸ１と、虚像のＭＴＦ特性Ｙの極大ピークＹ１を一致させるように周波数領域の帯域を中心にＭＴＦ強調をする。
【００５０】
また、実施の形態Ｃでは、実施の形態Ａと実施の形態Ｂを実施して、実像のＭＴＦ特性Ｘの極大ピークＸ１と、虚像のＭＴＦ特性Ｙの極大ピークＹ１を一致させ、ずれが対数の絶対値で０．５（ｃｙｃｌｅ／ｍｍ）空間周波数以内である。このように、実像のＭＴＦ特性と、虚像のＭＴＦ特性の極大ピーク差が対数値で０．５以内であり、ずれが少なくより微細な虚像の画像を知覚することができる。
【００５１】
この実施の形態Ａ，Ｂ，Ｃでは、縦線のＭＴＦ値と、横線のＭＴＦ値の測定結果の極大ピークでの視度Ｄｖ，Ｄｈが一致し、
絶対値（Ｄｖ−Ｄｈ）≦１．０
であることが好ましい。
【００５２】
この実施の形態Ａ，Ｂ，Ｃによって、映像と共に外界の像を提供することが可能で、かつ微細な虚像の画像を知覚することができる。
【００５３】
［実施例］
図４に示す透過式映像表示装置を用いて、５０ルックスの状態で正弦波チャートと被写体を撮像して実像のＭＴＦ特性と虚像のＭＴＦ特性を求めた。図９は比較例を示し、図１０乃至図１５は実施例を示す。この図９乃至図１５において、横軸は、空間周波数を示し、縦軸はＭＴＦを示す。ＭＴＦは正弦波チャートの像のコントラストと位相との変化を空間周波数の関数として表し、このレスポンス関数は周知のコントラスト測定方式によって求めた。
【００５４】
［比較例］
制御をしない比較例では、図９に示すように、実像のＭＴＦ特性Ｘの極大ピークＸ１と、虚像のＭＴＦ特性Ｙの極大ピークＹ１がずれている。微細な画像を知覚することができなかった。観察結果を表１に示し、虚像表示距離Ｓ（ｍ）に被写体を置き、この観察距離は１ｍであった。
【００５５】
［実施例１］
実施例１では、図１０に示すように、撮像の周波数特性を解析し、虚像のＭＴＦ特性Ｙの極大ピークＹ１を実像のＭＴＦ特性Ｘの極大ピークＸ１と一致させるように、周波数領域の帯域を中心にズーム機能のズーム倍率を変えた。微細な画像を知覚することができた。観察結果を表１に示し、虚像表示距離Ｓ（ｍ）に被写体を置き、この観察距離は１ｍであった。
【００５６】
［実施例２］
実施例２では、図１１に示すように、撮像の周波数特性を解析し、虚像のＭＴＦ特性Ｙの極大ピークＹ１を実像のＭＴＦ特性Ｘの極大ピークＸ１と一致させるように、周波数領域の帯域を中心にＭＴＦ強調をした。即ち、輪郭強調してある周波数帯域のＭＴＦを高めた。微細な画像を知覚することができた。観察結果を表１に示し、虚像表示距離Ｓ（ｍ）に被写体を置き、この観察距離は１ｍであった。
【００５７】
［実施例３］
実施例３では、図１２に示すように、撮像の周波数特性を解析し、虚像のＭＴＦ特性Ｙの極大ピークＹ１を実像のＭＴＦ特性Ｘの極大ピークＸ１と一致させるように、周波数領域の帯域を中心にズーム機能のズーム倍率を変え、さらに、波形をｗａｖｅｌｅｔ変換処理でＭＴＦ強調した。微細な画像を知覚することができた。観察結果を表１に示し、虚像表示距離Ｓ（ｍ）に被写体を置き、この観察距離は１ｍであった。
【００５８】
［実施例４］
実施例４では、図１３に示すように、撮像の周波数特性を解析し、虚像のＭＴＦ特性Ｙの極大ピークＹ１を実像のＭＴＦ特性Ｘの極大ピークＸ１と一致させるように、周波数領域の帯域を中心にズーム機能のズーム倍率を変え、さらに、波形をｗａｖｅｌｅｔ変換処理でＭＴＦ強調し、高周波成分を低減するために全体を圧縮した。微細な画像を知覚することができた。観察結果を表１に示し、虚像表示距離Ｓ（ｍ）に被写体を置き、この観察距離は１ｍであった。
【００５９】
［実施例５］
実施例５では、図１４に示すように、撮像の周波数特性を解析し、虚像のＭＴＦ特性Ｙの極大ピークＹ１を実像のＭＴＦ特性Ｘの極大ピークＸ１と一致させるように、周波数領域の帯域を中心にズーム機能のズーム倍率を変え、さらに、波形をｗａｖｅｌｅｔ変換処理でＭＴＦ強調した。微細な画像を知覚することができた。観察結果を表１に示し、虚像表示距離Ｓ（ｍ）に被写体を置き、この観察距離は５ｍであった。
表１
2006106450.tif 000003
【００６０】
表１では、微細な画像を知覚することができたことの評価を歩行しやすさ、文字認識、画像ノイズによって行なった。
【００６１】
歩行しやすさ：
×：歩行しにくい
△：やや歩行しにくい
○：歩行しやすい
◎：非常に歩行しやすい
文字認識：
×：文字認識しにくい
△：やや文字認識しにくい
○：文字認識しやすい
◎：非常に文字認識しやすい
画像ノイズ：
×：画像ノイズが生じる
△：やや画像ノイズが生じる
○：ほとんど画像ノイズが生じない
◎：画像ノイズが生じない
［実施例６］
実施例６では、図１５に示すように、横軸は、距離方向（Ｄ（ディオプタ））を示し、縦軸はＭＴＦを示す。縦線のＭＴＦ値と、横線のＭＴＦ値の測定結果の極大ピークでの視度Ｄｖ，Ｄｈが、
視度Ｄｖ＝１．０９
視度Ｄｈ＝１．２８であり略一致した。
【００６２】
絶対値（Ｄｖ−Ｄｈ）は、
｜Ｄｖ−Ｄｈ｜＝０．１９であり、
０．１９≦１．０であり、例えば歩行時の動的視認性を良くすることができた。
【００６３】
視度Ｄｖ＝１．０９
視度Ｄｈ＝２．２であり略一致していないと
絶対値（Ｄｖ−Ｄｈ）は、
｜Ｄｖ−Ｄｈ｜＝１．１であり、
１．１≧１．０であり、歩行時の動的視認性を良くすることができず歩行しにくかった。
【産業上の利用可能性】
【００６４】
この透過式映像表示装置は、接眼光学系が観察者の眼の前に位置して板状部材が眼に対面する状態で使用され、表示部からの光を接眼光学系により眼に導いて表示部が表示した映像の虚像を前記透過画像表示部に提供するとともに、外界からの光を透過画像表示部を透過させて眼に導いて外界の像を提供する透過式映像表示装置であり、実像のＭＴＦ特性の極大ピークと、虚像のＭＴＦ特性の極大ピークを一致させるように制御し、映像と共に外界の像を提供することが可能で、かつ微細な虚像の画像を知覚することができる。
【図面の簡単な説明】
【００６５】
【図１】透過式映像表示装置の構成図である。
【図２】透過式映像表示装置の外観を示す図である。
【図３】透過式映像表示装置の表示部を含む断面図である。
【図４】透過式映像表示装置の外観を示す他の実施の形態の図である。
【図５】透過式映像表示装置の基本構成を示す図である。
【図６】入力側の概略構成図である。
【図７】出力側の概略構成図である。
【図８】実像のＭＴＦ特性と虚像のＭＴＦ特性を示す図である。
【図９】比較例において実像のＭＴＦ特性と虚像のＭＴＦ特性を示す図である。
【図１０】実施例１において実像のＭＴＦ特性と虚像のＭＴＦ特性を示す図である。
【図１１】実施例２において実像のＭＴＦ特性と虚像のＭＴＦ特性を示す図である。
【図１２】実施例３において実像のＭＴＦ特性と虚像のＭＴＦ特性を示す図である。
【図１３】実施例４において実像のＭＴＦ特性と虚像のＭＴＦ特性を示す図である。
【図１４】実施例５において実像のＭＴＦ特性と虚像のＭＴＦ特性を示す図である。
【図１５】実施例６において実像のＭＴＦ特性と虚像のＭＴＦ特性を示す図である。
【符号の説明】
【００６６】
１  透過式映像表示装置
１００  表示部
１０１  接眼光学系
１０２  板状部材
１０２ａ  透過画像表示部
１１０  制御部
１１１  撮像部
【図１】
2006106450.tif 000004
【図２】
2006106450.tif 000005
【図３】
2006106450.tif 000006
【図４】
2006106450.tif 000007
【図５】
2006106450.tif 000008
【図６】
2006106450.tif 000009
【図７】
2006106450.tif 000010
【図８】
2006106450.tif 000011
【図９】
2006106450.tif 000012
【図１０】
2006106450.tif 000013
【図１１】
2006106450.tif 000014
【図１２】
2006106450.tif 000015
【図１３】
2006106450.tif 000016
【図１４】
2006106450.tif 000017
【図１５】
2006106450.tif 000018